(57)【特許請求の範囲】
【請求項１】
複数の画素を有する表示パネルを備え、前記表示パネルは、少なくとも２つのサブ表示パネルに分割されている表示装置であって、
前記各サブ表示パネル毎に設けられ、前記各サブ表示パネルの各画素に交流化信号に基づき正極性の映像電圧と負極性の映像電圧とを入力する少なくとも１個の映像線駆動回路と、
前記サブ表示パネル毎に前記交流化信号を生成し、前記各サブ表示パネル毎に設けられた前記映像線駆動回路に入力する交流化信号生成回路とを有し、
前記少なくとも２つのサブ表示パネルの中で、１水平ライン上で第１番目の画素を有するサブ表示パネルをサブ表示パネルＡ、当該サブ表示パネルＡ以外のサブ表示パネルをサブ表示パネルＢとし、
前記各サブ表示パネルの１水平ラインの画素数をＰＬ、１水平ライン上で負極性の映像電圧が入力される画素に連続し正極性の映像電圧が入力される画素数をＰＰ、正極性の映像電圧が入力される画素に連続し負極性の映像電圧が入力される画素数をＰＮとするとき、
前記サブ表示パネルＡのＰＬが（ＰＰ＋ＰＮ）で割り切れない場合で、かつ、サブ表示パネルＡ及びＢのＰＬが（ＰＰ＋ＰＮ）／２で割り切れる場合に、
前記交流化信号を反転する反転回路と、
前記交流化信号と前記反転回路で反転された前記交流化信号とが入力されるセレクタとを前記サブ表示パネルＢ毎に有し、
選択信号により制御される前記セレクタに基づき、前記交流化信号、あるいは、前記反転回路で反転された交流化信号を選択し、前記サブ表示パネルＢの画素に映像電圧を入力する映像線駆動回路に入力し、
前記サブ表示パネルＡの画素に映像電圧を入力する映像線駆動回路には前記セレクタを介さず交流化信号が入力することを特徴とする表示装置。
【請求項２】
前記各サブ表示パネル毎に設けられた映像線駆動回路に表示データを転送する制御回路を有し、
前記交流化信号生成回路、前記反転回路、および、前記セレクタは、前記制御回路内に配置され、
前記選択信号は、前記交流化信号生成回路で生成されることを特徴とする請求項１に記載の表示装置。
【請求項３】
複数の画素を有する表示パネルを備え、前記表示パネルは、少なくとも２つのサブ表示パネルに分割されている表示装置であって、
前記各サブ表示パネル毎に設けられ、前記各サブ表示パネルの各画素に交流化信号に基づき正極性の映像電圧と負極性の映像電圧とを入力する少なくとも１個の映像線駆動回路と、
前記サブ表示パネル毎に前記交流化信号を生成し、前記各サブ表示パネル毎に設けられた前記映像線駆動回路に入力する交流化信号生成回路とを有し、
前記各サブ表示パネルの１水平ラインの画素数をＰＬ、１水平ライン上で負極性の映像電圧が入力される画素に連続し正極性の映像電圧が入力される画素数をＰＰ、正極性の映像電圧が入力される画素に連続し負極性の映像電圧が入力される画素数をＰＮとするとき、ＰＬが（ＰＰ＋ＰＮ）で割り切れない場合に、
前記交流化信号生成回路は、前記各サブ表示パネル毎に設けられた映像線駆動回路毎に、前記交流化信号を反転して出力するセレクタを介して交流信号を出力し、
前記交流化信号生成回路は、１水平ライン上で第１番目の画素を有するサブ表示パネルには、前記セレクタを介さず交流信号を出力することを特徴とする表示装置。
【請求項４】
複数の画素と、前記各画素に映像電圧を入力する複数の映像線とを有する表示パネルを備え、前記表示パネルは、少なくとも２つのサブ表示パネルに分割されている表示装置であって、
前記各サブ表示パネル毎に設けられ、前記各サブ表示パネルの前記複数の映像線に、交流化信号に基づき正極性の映像電圧と負極性の映像電圧とを供給する少なくとも１個の映像線駆動回路と、
前記サブ表示パネル毎に前記交流化信号を生成し、前記各サブ表示パネル毎に設けられた前記映像線駆動回路に入力する交流化信号生成回路とを有し、
前記各サブ表示パネルの１水平ラインの画素数をＰＬ、１水平ライン上で負極性の映像電圧が入力される画素に連続し正極性の映像電圧が入力される画素数をＰＰ、正極性の映像電圧が入力される画素に連続し負極性の映像電圧が入力される画素数をＰＮとするとき、
前記少なくとも２つのサブ表示パネルの中で、互いに連続するサブ表示パネルをサブ表示パネルＡとサブ表示パネルＢとするとき、
前記サブ表示パネルＡのＰＬが（ＰＰ＋ＰＮ）で割り切れない場合に、
前記サブ表示パネルＢ毎に設けられた映像線駆動回路の前記サブ表示パネルＡ側に、前記サブ表示パネルＢの前記複数の映像線の何れにも電気的に接続されないダミー端子を設け、
前記サブ表示パネルＡと前記サブ表示パネルＢとの境目において、前記サブ表示パネルＡ毎に設けられた映像線駆動回路の端子に接続される映像線から映像電圧が供給される画素と、前記サブ表示パネルＢ毎に設けられた映像線駆動回路の端子に接続される映像線から映像電圧が供給される画素に入力される映像電圧の極性反転が連続するように、前記サブ表示パネルＢ毎に設けられた映像線駆動回路の前記ダミー端子数を決定することを特徴とする表示装置。
【請求項５】
前記各サブ表示パネル毎に設けられた映像線駆動回路に表示データを転送する制御回路を有し、
前記交流化信号生成回路は、前記制御回路内に配置されることを特徴とする請求項３または請求項４に記載の表示装置。
【請求項６】
前記各サブ表示パネル毎に設けられた映像線駆動回路に表示データを転送する制御回路を有し、
前記サブ表示パネルＢ毎に設けられた映像線駆動回路は、前記制御回路から転送された表示データに、前記ダミー端子用のダミー表示データを挿入することを特徴とする請求項４に記載の表示装置。
【請求項７】
前記各サブ表示パネル毎に設けられた映像線駆動回路に表示データを入力する制御回路を有し、
前記制御回路は、前記サブ表示パネルＢ毎に設けられた映像線駆動回路に転送する表示データに、前記サブ表示パネルＢ毎に設けられた映像線駆動回路のダミー端子用のダミー表示データを挿入することを特徴とする請求項４に記載の表示装置。
【発明の詳細な説明】
【技術分野】
【０００１】
本発明は、表示装置に係わり、特に、複数の映像線駆動回路で、１つの液晶表示パネルを分割して駆動する際に有効な技術に関する。
【背景技術】
【０００２】
アクティブ素子として薄膜トランジスタを使用するＴＦＴ方式の液晶表示モジュールは高精細な画像を表示できるため、テレビ、パソコン用ディスプレイ等の表示装置として使用されている。
一般に、液晶表示モジュールでは、隣接する２本の走査線（ゲート線ともいう。）と、隣接する２本の映像線（ソース線またはドレイン線ともいう。）とで囲まれる領域に、走査線からの走査信号によってオンする薄膜トランジスタと、映像線からの映像信号が薄膜トランジスタを介して供給される画素電極とが形成されて、所謂、画素（サブピクセル）が構成される。
【先行技術文献】
【特許文献】
【０００３】
【特許文献１】特開平５−３５２１６号公報
【発明の概要】
【発明が解決しようとする課題】
【０００４】
しかしながら、複数の映像線駆動回路で１つの液晶表示パネルを２画面以上分割して駆動する場合に、分割画面１画面あたりの１水平ライン上の画素数が、後述する液晶極性反転の完結周期で割り切れない場合に、分割画面毎の極性反転パターンの連続性が損なわれる。
その結果、分割画面の境目に筋が見える、あるいは、既存のキラーパターンで検査したときに画面上にフリッカが発生しないため、対向電極に入力するＶＣＯＭ調整ができないという問題点があった。
本発明は、前記従来技術の問題点を解決するためになされたものであり、本発明の目的は、複数の映像線駆動回路で１つの液晶表示パネルを２画面以上分割して駆動する場合に、分割画面毎の極性反転パターンの連続性が損なわれるのを防止することが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）複数の画素を有する表示パネルを備え、前記表示パネルは、少なくとも２つのサブ表示パネルに分割されている表示装置であって、前記各サブ表示パネル毎に設けられ、前記各サブ表示パネルの各画素に交流化信号に基づき正極性の映像電圧と負極性の映像電圧とを入力する少なくとも１個の映像線駆動回路と、前記交流化信号を生成し、前記各サブ表示パネル毎に設けられた前記映像線駆動回路に入力する交流化信号生成回路とを有し、前記少なくとも２つのサブ表示パネルの中で、１水平ライン上で第１番目の画素を有するサブ表示パネルをサブ表示パネルＡ、当該サブ表示パネルＡ以外のサブ表示パネルをサブ表示パネルＢとし、前記各サブ表示パネルの１水平ラインの画素数をＰＬ、１水平ライン上で負極性の映像電圧が入力される画素に連続し正極性の映像電圧が入力される画素数をＰＰ、正極性の映像電圧が入力される画素に連続し負極性の映像電圧が入力される画素数をＰＮとするとき、ＰＬが（ＰＰ＋ＰＮ）で割り切れない場合で、かつ、ＰＬが（ＰＰ＋ＰＮ）／２で割り切れる場合に、前記交流化信号を反転する反転回路と、前記交流化信号と前記反転回路で反転された前記交流化信号とが入力されるセレクタとを有し、選択信号により制御される前記セレクタに基づき、前記交流化信号、あるいは、前記反転回路で反転された交流化信号を選択し、前記サブ表示パネルＢの画素に映像電圧を入力する映像線駆動回路に入力する。
【０００６】
（２）（１）において、前記各サブ表示パネル毎に設けられた映像線駆動回路に表示データを転送する制御回路を有し、前記交流化信号生成回路、前記反転回路、および、前記セレクタは、前記制御回路内に配置され、前記選択信号は、前記交流化信号生成回路で生成される。
（３）複数の画素を有する表示パネルを備え、前記表示パネルは、少なくとも２つのサブ表示パネルに分割されている表示装置であって、前記各サブ表示パネル毎に設けられ、前記各サブ表示パネルの各画素に交流化信号に基づき正極性の映像電圧と負極性の映像電圧とを入力する少なくとも１個の映像線駆動回路と、前記交流化信号を生成し、前記各サブ表示パネル毎に設けられた前記映像線駆動回路に入力する交流化信号生成回路とを有し、前記各サブ表示パネルの１水平ラインの画素数をＰＬ、１水平ライン上で負極性の映像電圧が入力される画素に連続し正極性の映像電圧が入力される画素数をＰＰ、正極性の映像電圧が入力される画素に連続し負極性の映像電圧が入力される画素数をＰＮとするとき、ＰＬが（ＰＰ＋ＰＮ）で割り切れない場合に、前記交流化信号生成回路を、前記各サブ表示パネル毎に設けられた映像線駆動回路毎に設ける。
【０００７】
（４）複数の画素と、前記各画素に映像電圧を入力する複数の映像線とを有する表示パネルを備え、前記表示パネルは、少なくとも２つのサブ表示パネルに分割されている表示装置であって、前記各サブ表示パネル毎に設けられ、前記各サブ表示パネルの前記複数の映像線に、交流化信号に基づき正極性の映像電圧と負極性の映像電圧とを供給する少なくとも１個の映像線駆動回路と、前記交流化信号を生成し、前記各サブ表示パネル毎に設けられた前記映像線駆動回路に入力する交流化信号生成回路とを有し、前記各サブ表示パネルの１水平ラインの画素数をＰＬ、１水平ライン上で負極性の映像電圧が入力される画素に連続し正極性の映像電圧が入力される画素数をＰＰ、正極性の映像電圧が入力される画素に連続し負極性の映像電圧が入力される画素数をＰＮとするとき、ＰＬが（ＰＰ＋ＰＮ）で割り切れない場合に、前記少なくとも２つのサブ表示パネルの中で、互いに連続するサブ表示パネルをサブ表示パネルＡとサブ表示パネルＢとするとき、前記サブ表示パネルＢ毎に設けられた映像線駆動回路の前記サブ表示パネルＡ側に、前記サブ表示パネルＢの前記複数の映像線の何れにも電気的に接続されないダミー端子を設け、前記サブ表示パネルＡと前記サブ表示パネルＢとの境目において、前記サブ表示パネルＡ毎に設けられた映像線駆動回路の端子に接続される映像線から映像電圧が供給される画素と、前記サブ表示パネルＢ毎に設けられた映像線駆動回路の端子に接続される映像線から映像電圧が供給される画素に入力される映像電圧の極性反転が連続するように、前記サブ表示パネルＢ毎に設けられた映像線駆動回路の前記ダミー端子数を決定する。
【０００８】
（５）（３）または（４）において、前記各サブ表示パネル毎に設けられた映像線駆動回路に表示データを転送する制御回路を有し、前記交流化信号生成回路は、前記制御回路内に配置される。
（６）（４）において、前記各サブ表示パネル毎に設けられた映像線駆動回路に表示データを転送する制御回路を有し、前記サブ表示パネルＢ毎に設けられた映像線駆動回路は、前記制御回路から転送された表示データに、前記ダミー端子用のダミー表示データを挿入する。
（７）（４）において、前記各サブ表示パネル毎に設けられた映像線駆動回路に表示データを入力する制御回路を有し、前記制御回路は、前記サブ表示パネルＢ毎に設けられた映像線駆動回路に転送する表示データに、前記サブ表示パネルＢ毎に設けられた映像線駆動回路のダミー端子用のダミー表示データを挿入する。
【発明の効果】
【０００９】
本願において開示される発明のうち代表的なものによって得られる効果を簡単に説明すれば、下記の通りである。
本発明によれば、複数の映像線駆動回路で１つの液晶表示パネルを２画面以上分割して駆動する場合に、分割画面毎の極性反転パターンの連続性が損なわれるのを防止することが可能となる。
【図面の簡単な説明】
【００１０】
【図１】本発明の前提となる液晶表示装置の概略構成を示すブロック図である。
【図２】交流化駆動方法として、コモン対称法採用したときの画素の書き込み状態の様子を示す図である。
【図３】図１に示す液晶表示装置のコントローラの内部の交流化信号生成回路を説明するための図である。
【図４】本発明の前提となる液晶表示装置の問題となる点を説明するための図である。
【図５】本発明の前提となる液晶表示装置において、分割画面の境目に筋が見える様子を説明するための図である。
【図６】本発明の実施例１の液晶表示装置の概略構成を示すブロック図である。
【図７】本発明の実施例１の液晶表示装置において、分割画面の境目に筋が見えないことを説明するための図である。
【図８】本発明の前提となる液晶表示装置において、少なくとも分割画面の１つの１水平ライン上の画素数が（極性反転完結数／２）で割り切れない場合を説明するための図である。
【図９】本発明の実施例２の液晶表示装置の概略構成を示すブロック図である。
【図１０】本発明の実施例２の液晶表示装置において、ダミーの表示データを挿入することを説明するための図である。
【図１１】本発明の実施例３の液晶表示装置の概略構成を示すブロック図である。
【図１２】本発明の実施例３の液晶表示装置において、分割画面の境目に筋が見えないことを説明するための図である。
【発明を実施するための形態】
【００１１】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［本発明の前提となる液晶表示装置］
図１は、本発明の前提となる液晶表示装置の概略構成を示すブロック図である。
同図に示すように、液晶表示パネル１の表示部９は、マトリクス状に配置される画素８を有している。ただし、図１では図を簡略化するため１つの画素８だけを示している。
各画素８は、隣接する２本の映像線２２と、隣接する２本の走査線２１との交差領域（４本の信号線で囲まれた領域）に配置される。各画素８は、薄膜トランジスタ（ＴＦＴ）１０と、薄膜トランジスタ１０のソース電極（または、ドレイン電極）に接続される画素電極１１と、画素電極１１と液晶層を挟んで対向する対向電極１３とを有する。なお、Ｃｌｃは液晶層を等価的に示す液晶容量である。さらに、図１では、対向電極１３と画素電極１１との間に形成される保持容量の図示は省略している。
【００１２】
列方向に配置された各画素８の薄膜トランジスタ１０のドレイン電極（または、ソース電極）は、それぞれ映像線２２に接続され、各映像線２２は、表示データに対応する映像電圧（階調電圧）を供給する映像線駆動回路（ドレインドライバともいう）６に接続される。
また、行方向に配置された各画素８の薄膜トランジスタ１０のゲート電極は、それぞれ走査線２１に接続され、各走査線２１は、１水平走査時間、薄膜トランジスタ１０のゲートに走査電圧（正または負のバイアス電圧）を供給する走査線駆動回路（ゲートドライバともいう）７に接続される。
液晶表示パネル１に画像を表示する際、走査線駆動回路７は、複数の走査線２１を上から下に向かって、あるいは、下から上に向かって順次選択し、一方で、ある走査線の選択期間中に、映像線駆動回路６は、表示データに対応する映像電圧を映像線２２に供給する。
映像線２２に供給された電圧は、薄膜トランジスタ１０を経由して、画素電極１１に出力され、最終的に、保持容量（図示せず）と、液晶容量（Ｃｌｃ）に電荷がチャージされ、液晶分子をコントロールすることにより画像が表示される。
【００１３】
図１において、５００はタイミングコントローラ（以下、単に、コントローラという）であり、コントローラ５００には、外部（コンピュータ等）から表示データ、制御信号等が入力される。
コントローラ５００にはデータバスライン５が接続しており、コントローラ５００はデータバスライン５に表示データを出力する。また、コントローラ５００は、外部から入力した制御信号を変換し、映像線駆動回路６と走査線駆動回路７を制御する信号を出力する。
コントローラ５００が出力する制御信号としては、映像線駆動回路６が表示データを取り込むためのクロック信号、映像線駆動回路６から液晶表示パネル１へ表示データに対応する映像電圧（階調電圧）を出力するためのクロック信号、走査線駆動回路７を駆動するフレーム開始指示信号と、順次選択走査信号を出力するためのゲートクロック信号などのタイミング信号がある。
コントローラ５００はデータバスライン５に画素の並びに従い表示データを出力する。コントローラ５００から出力された表示データは、データバスライン５を介して映像線駆動回路６に転送される。
映像線駆動回路６は、コントローラ５００から順番に出力される表示データの中から表示すべき表示データを取り込む。映像線駆動回路６が表示データを取り込むタイミングはコントローラ５００から出力するクロック信号（制御信号）５１に従う。
【００１４】
４０は電源回路であり、電源回路４０は液晶表示パネル１を駆動するための各種の駆動電圧を発生する。ここで、電源回路４０は、正極性階調基準電圧と、負極性階調基準電圧、対向電極電圧（ＶＣＯＭ）、選択走査信号のＨｉｇｈレベル電圧等を発生させ出力する。
図１に示すように、第１の基板（ＳＵＢ１）上で、表示部９の周辺に沿って横方向（Ｘ方向）に映像線駆動回路６が配置される。映像線駆動回路６は、データバスライン５から表示データを取り込み、表示データに対応する階調電圧を映像線２２に出力する。映像線２２により、液晶を駆動するための電圧（階調電圧）が薄膜トランジスタ１０に供給される。なお、ソース、ドレインの呼び方は、バイアスの関係で逆になることもあるが、ここでは、映像線２２に接続される方をドレインと称する。
さらに、第１の基板（ＳＵＢ１）で、表示部９の周辺に沿って縦方向には、走査線駆動回路７が配置される。走査線駆動回路７は、コントローラ５００から送られてくるフレーム開始指示信号およびシフトクロックに基づき、１水平走査期間毎に、順次、走査線２１にハイレベルの選択走査電圧を供給する。薄膜トランジスタ１０はゲート電極に印加された走査電圧によりオン、オフが制御される。
画素電極１１に対向するように対向電極（コモン電極）１３が配置されており、画素電極１１と対向電極１３との間には液晶層が設けられるので、図１に示すように、画素電極１１と対向電極１３との間には等価的に液晶容量（Ｃｌｃ）が接続される。
【００１５】
液晶表示パネル１では、画素電極１１と対向電極１３との間に電圧を印加することにより液晶層の配向が変化する。液晶表示パネル１は、液晶層の配向の変化により光の透過率が変化することを利用して画像を表示する。
液晶表示パネル１が表示する画像は画素８により構成される。画像を構成する各画素８の階調は、画素電極１１に供給される電圧に従う。映像線駆動回路６には表示データが入力され、映像線駆動回路６は、表示データに対応する階調電圧を出力する。そのため、液晶表示パネル１が表示する階調数の増加に従い、表示データのデータ量やデータバスライン５の本数も増加する。なお、図１において、ＦＰＣ１，ＦＰＣ２はフレキシブル配線基板である。
図１に示すように、表示部９は、さらに区分された表示領域（以下、サブ表示パネル）（９０１，９０２，９０３，９０４）に分割されている。
液晶表示パネル１は、画素電極１１、薄膜トランジスタ１０等が形成される第１の基板（ＳＵＢ１）と、カラーフィルタ等が形成される第２の基板（ＳＵＢ１）とを、所定の間隙を隔てて重ね合わせ、該両基板間の周縁部近傍に枠状に設けたシール材により、両基板を貼り合わせると共に、シール材の一部に設けた液晶封入口から両基板間のシール材の内側に液晶を封入、封止し、さらに、両基板の外側に偏光板を貼り付けて構成される。
なお、対向電極１３は、ＴＮ方式やＶＡ方式の液晶表示パネルであれば第２の基板側に設けられる。ＩＰＳ方式の場合は、第１の基板側に設けられる。
また、本発明は、液晶パネルの内部構造とは関係がないので、液晶パネルの内部構造の詳細な説明は省略する。さらに、本発明は、どのような構造の液晶パネルであっても適用可能である。
【００１６】
一般に、液晶層は、長時間同じ電圧（直流電圧）が印加されていると、液晶層の傾きが固定化され、結果として残像現象を引き起こし、液晶層の寿命を縮めることになる。これを防止するために、液晶表示パネルにおいては、液晶層に印加する電圧をある一定時間毎に交流化、即ち、対向電極１３に印加する電圧を基準にして、画素電極１１に印加する電圧を、一定時間毎に正電圧側／負電圧側に変化させるようにしている。
この液晶層に交流電圧を印加する交流化駆動方法として、コモン対称法が知られている。コモン対称法とは、対向電極１３に印加される電圧を一定とし、画素電極１１に印加する電圧を、対向電極１３に印加される電圧を基準にして、交互に正、負に反転させる方法である。このコモン対称法として、ドット反転法あるいはＮライン反転法が知られている。
図２に、交流化駆動方法として、コモン対称法採用したときの画素の書き込み状態の様子を示す。なお、図２において、「●」は負極性の映像電圧が書き込まれた画素を示し、「○」は正極性の映像電圧が書き込まれた画素を示す。
図２（ａ）は、２フレーム周期で、水平方向に２画素単位で極性反転している様子を示し、図２（ｂ）は、１フレーム周期で、水平方向に１画素単位で極性反転している様子を示す。例えば、図２（ａ）では、１フレーム、２フレームでは、先頭の画素には、負極性の映像電圧が書き込まれ、３フレーム、４フレームでは、先頭の画素には、正極性の映像電圧が書き込まれる。各フレームデータは、先頭の画素から水平方向に２画素単位で極性が反転している。
【００１７】
図３は、図１に示す液晶表示装置のコントローラ５００の内部の交流化信号生成回路を説明するための図である。図３に示すように、コントローラ５００の内部には、交流化信号生成回路１００が内蔵されている。
交流化信号生成回路１００は、交流化信号（Ｍ）を生成し、交流化信号制御線３を介して映像線駆動回路６に供給する。
図１に示す液晶表示装置では、交流化駆動方法として、コモン対称法を採用している。そのため、電源回路４０は、正極性階調基準電圧と、負極性階調基準電圧を生成し、映像線駆動回路６に出力する。
映像線駆動回路６は、正極性階調基準電圧に基づき正極性の階調電圧を生成する正極性階調電圧生成回路（図示せず）と、負極性階調基準電圧に基づき負極性の階調電圧を生成する負極性階調電圧生成回路（図示せず）とを有する。
映像線駆動回路６は、コントローラ５００から供給される交流化信号に基づき、同じ表示データであっても正極性の階調電圧、あるいは、負極性の階調電圧を生成して、映像線２２を介して各画素８の画素電極１１に供給する。
【００１８】
また、サブ表示パネル（９０１，９０２，９０３，９０４）のそれぞれは、マトリクス状に配置された画素から構成される。さらに、図３に示すように、映像線駆動回路６は、サブ表示パネル（９０１，９０２，９０３，９０４）毎にそれぞれ設けられる。
そして、この交流化信号生成回路１００で生成された交流化信号（Ｍ）は、交流化信号制御線３を介して、サブ表示パネル（９０１，９０２，９０３，９０４）毎にそれぞれ設けられた映像線駆動回路６に別々同時に入力される。
映像線駆動回路６は、入力される交流化信号（Ｍ）に基づき、表示データに対応する正極性の階調電圧、あるいは、負極性の階調電圧を各画素８の画素電極１１に供給し、各画素の液晶層に印加する映像電圧の極性を周期的に反転させる。
表示画面は先頭画素より表示されるものとする。なお、図３のＡに示す点線円の部分を拡大して示す拡大図に、１水平方向に連続する先頭の１０個の画素を、連続する表示画素１２０として図示している。ここで、表示画素１２０の１０個の長方形（図３のＰＩＸ）が１画素を示し、「＋」記号が付された画素は、正極正の映像電圧が書き込まれた画素を、「−」記号が付された画素は、負極性の映像電圧が書き込まれた画素を表している。
この図３では、２個の正極性の映像電圧が書き込まれる画素と、２個の負極性の映像電圧が書き込まれる画素の、連続する４画素で極性が反転しており、本明細書中では、これを「４画素で極性反転が完結する」と称し、極性が反転する連続する画素数を「液晶極性反転の完結周期」と称する。
【００１９】
［本発明の前提となる液晶表示装置の問題となる点］
複数の映像線駆動回路で１つの液晶表示パネルを２画面以上分割して駆動する場合に、分割画面１画面あたりの１水平ライン上の画素数が、前述した液晶極性反転の完結周期で割り切れない場合に、分割画面毎の極性反転パターンの連続性が損なわれる。
例えば、サブ表示パネル（９０１，９０３）の１水平ライン上の画素数が３９８、サブ表示パネル（９０２，９０４）の１水平ライン上の画素数が４００の場合、サブ表示パネル（９０２，９０４）の１水平ライン上の画素数４００は、液晶極性反転の完結周期（図４では４）で割り切れるが、サブ表示パネル（９０１，９０３）の１水平ライン上の画素数３９８は液晶極性反転の完結周期（図４では４）で割り切れない。そのため、図４の点線円の部分の拡大図に示すように、サブ表示パネル９０１とサブ表示パネル９０２との境目では、画素の極性は、「−」「−」「＋」「＋」「＋」「＋」「−」「−」となり、極性反転パターンの連続性が損なわれる。
その結果、図５に示すように、サブ表示パネル９０１とサブ表示パネル９０２との境目、および、サブ表示パネル９０３とサブ表示パネル９０４との境目に、図５のＡ示すように、筋が見えるという問題点があった。あるいは、既存のキラーパターンで検査したときに画面上にフリッカが発生しないため、対向電極に入力するＶＣＯＭ調整ができないという問題点があった。
なお、図４は、本発明の前提となる液晶表示装置の問題となる点を説明するための図であり、また、図４において、「＋」記号が付された画素は、正極の映像電圧が書き込まれた画素を、「−」記号が付された画素は、負極性の映像電圧が書き込まれた画素を表している。さらに、図５は、本発明の前提となる液晶表示装置において、サブ表示パネルの境目に筋が見える様子を説明するための図である。
【００２０】
［実施例１］
図６は、本発明の実施例１の液晶表示装置の概略構成を示すブロック図である。
本実施例は、液晶表示パネル１を２画面以上分割して駆動する場合に、サブ表示パネルの１水平ライン上の画素数が、前述した液晶極性反転の完結周期で割り切れないが、（液晶極性反転の完結周期）／２で割り切れる場合の実施例である。
例えば、図６に示すように、本実施例でも、サブ表示パネル（９０１，９０３）の１水平ライン上の画素数が３９８、サブ表示パネル（９０２，９０４）の１水平ライン上の画素数が４００であり、サブ表示パネル（９０２，９０４）の１水平ライン上の画素数４００は、液晶極性反転の完結周期（図４では４）で割り切れるが、サブ表示パネル（９０１，９０３）の１水平ライン上の画素数３９８は液晶極性反転の完結周期（図４では４）で割り切れない。そのため、図７（ａ）に示すように、サブ表示パネル９０１とサブ表示パネル９０２との境目では、画素の極性は、「＋」「＋」「＋」「＋」となり、極性反転パターンの連続性が損なわれる。
しかしながら、本実施例では、サブ表示パネル（９０１，９０２，９０３，９０４）の１水平ライン上の画素数は、（液晶極性反転の完結周期）／２（ここでは、２）で割り切れる。そのため、サブ表示パネル９０２の各画素を駆動する映像線駆動回路６に入力する交流化信号を、サブ表示パネル９０１の各画素を駆動する映像線駆動回路６に入力する交流化信号の反転信号とすることにより、図７（ｂ）に示すように、サブ表示パネル９０１とサブ表示パネル９０２との境目では、画素の極性は、「＋」「＋」「−」「−」となり、極性反転パターンの連続性を保つことができる。
【００２１】
そこで、本実施例では、図６に示すように、サブ表示パネル（９０２，９０３，９０４）毎に、交流化信号生成回路１００から出力される交流化信号を反転するインバータ（ＩＮＶ）と、交流化信号生成回路１００から出力される交流化信号とインバータ（ＩＮＶ）から出力される反転交流化信号とを選択するセレクタ（ＳＥＬ）とを設ける。このセレクタ（ＳＥＬ）は、交流化信号生成回路１００から出力されるセレクタ信号（Ｓ−ＳＥＬ）で制御される。
この構成において、セレクタ（ＳＥＬ）からインバータ（ＩＮＶ）から出力される反転交流化信号を、９０２と９０３のサブ表示パネルの各画素を駆動する映像線駆動回路６に入力することにより、サブ表示パネル９０１とサブ表示パネル９０２との境目では、画素の極性は、「＋」「＋」「−」「−」となり、極性反転パターンの連続性を保つことができる。
同様に、サブ表示パネル９０２とサブ表示パネル９０３との境目では、画素の極性は、「＋」「＋」「−」「−」となり、さらに、サブ表示パネル９０３とサブ表示パネル９０４との境目では、画素の極性は、「−」「−」「＋」「＋」となり、極性反転パターンの連続性を保つことができる。
その結果、本実施例では、サブ表示パネル９０１とサブ表示パネル９０２との境目、および、サブ表示パネル９０３とサブ表示パネル９０４との境目に、図５のＡに示すような筋が見えるという問題点を解決し、その上、既存のキラーパターンを用いて、対向電極に入力するＶＣＯＭ調整を行うことが可能となる。
【００２２】
［実施例２］
液晶表示パネル１を２画面以上分割して駆動する場合に、少なくとも１つのサブ表示パネルの１水平ライン上の画素数が、前述した液晶極性反転の完結周期でも、（液晶極性反転の完結周期）／２でも割り切れない場合は、前述の実施例１は適用できない。
例えば、図８に示すように、サブ表示パネル９０１の１水平ライン上の画素数が３９９、サブ表示パネル（９０２，９０４）の１水平ライン上の画素数が４００、サブ表示パネル９０３の１水平ライン上の画素数が３９８の場合、サブ表示パネル（９０２，９０３，９０４）の１水平ライン上の画素数は、（液晶極性反転の完結周期）／２（ここでは、２）では割り切れるが、サブ表示パネル９０１の１水平ライン上の画素数３９９は（液晶極性反転の完結周期）／２で割り切れない。そのため、図１０（ａ）に示すように、サブ表示パネル９０１とサブ表示パネル９０２との境目では、画素の極性は、「＋」「＋」「−」「＋」「＋」となり、極性反転パターンの連続性が損なわれる。
【００２３】
図９は、本発明の実施例２の液晶表示装置の概略構成を示すブロック図である。
本実施例では、サブ表示パネル９０２の各画素を駆動する映像線駆動回路の端子の一部を映像線２２に接続されないダミー端子（Ｔ−Ｄ）して、極性反転パターンの連続性を保つようにしたものである。なお、図９において、Ｔ−Ａは、サブ表示パネル９０２の映像線２２に接続される端子である。
但し、本実施例では、表示データの並びがズレるため、コントローラ５００（あるいは、映像線駆動回路６）で、表示データにダミーの表示データを挿入する。即ち、図９に示すように、サブ表示パネル９０２の各画素を駆動する映像線駆動回路６における、サブ表示パネル９０１側の３つの端子をダミー端子（Ｔ−Ｄ）として、このダミー端子（Ｔ−Ｄ）には、図１０（ｃ）に示すように、ダミーの表示データ（Ｄ−ＤＡＴＡ）に対応する正極性あるいは負極性の映像電圧が出力される。
また、図１０（ｂ）において、矢印ＥＶに示す部分が、実際の表示データ（ＤＡＴＡ）に対応する正極性あるいは負極性の映像電圧が出力される画素であり、図１０（ｂ）のサブ表示パネル９０１側の３つの画素は、ダミー端子（Ｔ−Ｄ）に相当する画素であり、実際の液晶表示パネル１には表示されない。
【００２４】
これにより、本実施例の液晶表示パネル１では、サブ表示パネル９０１とサブ表示パネル９０２との境目において、画素の極性は、「＋」「＋」「−」「−」「＋」「＋」となり、極性反転パターンの連続性を保つことができる。
同様に、サブ表示パネル９０３と、サブ表示パネル９０４との画面境目の映像線駆動回路６（サブ表示パネル９０４の各画素を駆動する映像線駆動回路）の端子の一部を映像線２２に接続されないダミー端子（Ｔ−Ｄ）することにより、サブ表示パネル９０３とサブ表示パネル９０４との境目において、画素の極性を、「＋」「＋」「−」「−」「＋」「＋」とすることができ、極性反転パターンの連続性を保つことができる。
このように、本実施例でも、サブ表示パネル９０１とサブ表示パネル９０２との境目、および、サブ表示パネル９０３とサブ表示パネル９０４との境目に、図５のＡ示すような筋が見えるという問題点を解決し、その上、既存のキラーパターンを用いて、対向電極に入力するＶＣＯＭ調整を行うことが可能となる。
なお、本実施例は、液晶表示パネル１を２画面以上分割して駆動する場合に、サブ表示パネルの１水平ライン上の画素数が、前述した液晶極性反転の完結周期で割り切れないが、（液晶極性反転の完結周期）／２で割り切れる場合にも適用可能であることはいうまでもない。
【００２５】
［実施例３］
本実施例も、少なくとも１つのサブ表示パネルの１水平ライン上の画素数が、前述した液晶極性反転の完結周期でも、（液晶極性反転の完結周期）／２でも割り切れない場合の実施例である。
図１１は、本発明の実施例３の液晶表示装置の概略構成を示すブロック図である。
本実施例では、サブ表示パネル（９０１，９０２，９０３，９０４）毎に、１００Ａ，１００Ｂ，１００Ｃ，１００Ｄの交流化信号生成回路を設けたものである。
図１２（ａ）に示すように、図７に示す液晶表示パネル１の場合、サブ表示パネル９０１とサブ表示パネル９０２との境目では、画素の極性は、「−」「−」「＋」「＋」「−」「＋」「＋」「−」「−」となり、極性反転パターンの連続性が損なわれる。
しかしながら、図１２（ｂ）に示すように、本実施例では、サブ表示パネル９０１とサブ表示パネル９０２との境目では、画素の極性は、「−」「−」「＋」「＋」「−」「−」「＋」「＋」「−」となり、極性反転パターンの連続性を保つことができる。
その結果、本実施例でも、サブ表示パネル９０１とサブ表示パネル９０２との境目、および、サブ表示パネル９０３とサブ表示パネル９０４との境目に、図５のＡ示すような筋が見えるという問題点を解決し、その上、既存のキラーパターンを用いて、対向電極に入力するＶＣＯＭ調整を行うことが可能となる。
なお、本実施例は、表示パネル１を２画面以上分割して駆動する場合に、サブ表示パネルの１水平ライン上の画素数が、前述した液晶極性反転の完結周期で割り切れないが、（液晶極性反転の完結周期）／２で割り切れる場合にも適用可能であることはいうまでもない。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００２６】
１  液晶表示パネル
５  データバスライン
３  交流化信号制御線
６  映像線駆動回路
７  走査線駆動回路
８，ＰＩＸ  画素
９  表示部
１０  薄膜トランジスタ（ＴＦＴ）
１１  画素電極
１３  対向電極
２１  走査線
２２  映像線
４０  電源回路
１００，１００Ａ，１００Ｂ，１００Ｃ，１００Ｄ  交流化信号生成回路
５００  タイミングコントローラ
９０１，９０２，９０３，９０４  サブ表示パネル
ＳＵＢ１  第１の基板
ＳＵＢ２  第２の基板
Ｃｌｃ  液晶容量
ＦＰＣ１，ＦＰＣ２  フレキシブル配線基板
ＩＮＶ  インバータ
ＳＥＬ  セレクタ
Ｔ−Ａ  映像線に接続される端子
Ｔ−Ｄ  映像線に接続されないダミー端子
【図１】
0005826510.tif 000002
【図２】
0005826510.tif 000003
【図３】
0005826510.tif 000004
【図４】
0005826510.tif 000005
【図５】
0005826510.tif 000006
【図６】
0005826510.tif 000007
【図７】
0005826510.tif 000008
【図８】
0005826510.tif 000009
【図９】
0005826510.tif 000010
【図１０】
0005826510.tif 000011
【図１１】
0005826510.tif 000012
【図１２】
0005826510.tif 000013